(57)【要約】【課題】誰もが簡単に着用できて着崩れもしないデザイン性に優れた対丈着物の提供。【解決手段】着用者から採寸された各曲線情報に基づいて各別に裁断された上身頃体１２と下身頃体３２とをウエストラインＷの位置にて一体化される対丈着物１１は、所定位置に各別に固定された第１結び紐４２〜第６結び紐４７を備え、その着用時には、第３結び紐４４と第４結び紐４５とを結んで下前を若干せり上がらせ、第５結び紐４６と第６結び紐４７とを結んで下前左裾をさらに若干せり上がらせるとともに、第１結び紐４２と第２結び紐４３とを結んで上前右裾を若干せり上がらせるようにして裾周りの仕舞いを美しくして着用できるようにした。【選択図】図１
0003175647.tif 000002
【実用新案登録請求の範囲】
【請求項１】
着用者の別にバスト、アンダーバスト、ウエストおよびヒップを含む身体各部から採寸された各曲線情報に基づく曲線を付与して各別に裁断された上身頃体と下身頃体とを、御端折りを介在させることなくウエストラインの位置にて立体的に縫い合わせて一体化される対丈着物は、
右側縫い線からやや内側に入った下側前表面の前記ウエストラインの上側にその一端部が固着された第１結び紐と、左側縫い線からやや内側に入った上側前裏面の前記ウエストラインの下側にその一端部が固着された第２結び紐と、右側開放端からやや内側に入った下側前裏面の前記ウエストラインの下側にその一端部が固着された第３結び紐と、左側縫い線の延長線からやや内側に入った前記ウエストライン上側にその一端部が固着された第４結び紐と、右側開放端からやや内側に入り、かつ、前記下身頃体の縦長さ方向での中間位置から１２ｃｍ前後上方に位置する部位にその一端部が固着された第５結び紐と、左側縫い線の外側に沿わせ、かつ、前記下身頃体の縦長さ方向での中間位置から１７ｃｍ前後上方に位置する部位にその一端部が固着された第６結び紐とを備え、
その着用時には、前記第３結び紐と前記第４結び紐とを結んで下前を若干せり上がらせ、前記第５結び紐と前記第６結び紐とを結んで下前左裾をさらに若干せり上がらせるとともに、前記第１結び紐と前記第２結び紐とを結んで上前右裾を若干せり上がらせるようにして裾周りの仕舞いを美しくしたことを特徴とする対丈着物。
【請求項２】
前記上身頃体の前記曲線は、首周りのラインとウエスト位置から袖脇に至るラインとに付与し、前記下身頃体の曲線は、ウエスト位置から裾に向けて徐々にすぼまらせるようにして付与した請求項１に記載の対丈着物。
【請求項３】
前記上身頃体と前記下身頃体とは、襦袢生地を用いて総裏とした請求項１または２に記載の対丈着物。
【請求項４】
前記上身頃体は、袖無しとした請求項１ないし３のいずれかに記載の対丈着物。
【請求項５】
前記上身頃体は、小袖を備える請求項１ないし３のいずれかに記載の対丈着物。
【請求項６】
前記小袖と、別途用意される中袖、中振袖、振袖との間には、これら中袖、中振袖、振袖を選択的に着脱するための着脱部を形成した請求項５に記載の対丈着物。
【請求項７】
前記上身頃体は、長袖を備える請求項１ないし３のいずれかに記載の対丈着物。
【請求項８】
裏地のない単衣として形成される前記上身頃体と前記下身頃体とのうち、前記上身頃体には、小袖と幅狭な衿とを具備させた請求項１または２に記載の対丈着物。
【考案の詳細な説明】
【技術分野】
【０００１】
本考案は、着崩れの原因である着丈調整用の御端折り部分をなくした対丈着物に関する技術である。
【背景技術】
【０００２】
従来からある着物は、例えば５．５ｃｍ程度の広幅な衿が付いているのが普通である。また、着物は、その全体が直線縫いであることから、身体を着物に合わせる必要があり、その際に、寸胴の体型となるようにタオルを腰に巻き付けたりして体型補正を行っているのが一般的であった。
【０００３】
また、従来からある着物は、まず、肌襦袢を着た上で、これを紐で巻いて固定し、その上に長襦袢を着て、これも紐で巻いて固定し、さらにその上に着物を着て御端折りを作るため、また何本も紐を巻いて御端折りが崩れないようにしっかり固定しながら着付けていく必要があった。そのため、御端折り部分に関しては、生地が何枚も重なっておなか周りがどっしりとした感じになってしまうため、髪をアップにして付け毛などをしてボリューム感を出して頭を大きく見せるようにしないとバランスがとれないことになる。また、このような何枚も重なった御端折り部分は、着崩れの大きな原因ともなっていた。
【０００４】
着物着用にまつわるこのような問題は、着用者が美容室等で髪をセットしてもらったり、着付けをしてもらったりすることで解決することができるものの、そのための作業時間が必要になったり、少なからざる費用がかかったりするという新たに発生する問題があった。
【０００５】
このため、着物の御端折りにまつわる上記したような問題の解消を図ろうする試みも、例えば特許文献１に開示されている「簡易着付け着物」のように従来から行われてきている。
【先行技術文献】
【特許文献】
【０００６】
【特許文献１】特開２００３−３３６１０７号公報
【０００７】
しかし、特許文献１の「簡易着付け着物」による場合には、着付けにおいて難しいとされている御端折りの形成を簡易に形成することはできるとしても、御端折り自体をなくすものではなかった。
【０００８】
一方、着物から御端折りをなくしたものとしては、例えば特許文献２に開示されている「簡易式対丈着物とその着用方法」が既に提案されている。
【０００９】
【特許文献２】特開２００６−２２７０号公報
【００１０】
御端折りを不要とする特許文献２の「簡易式対丈着物」は、着物本体に上下前の腰紐を取り付け、かつ、左右脇部に紐通し穴を穿設し、該紐通し穴に上下前の腰紐を通して着用者の胴部に巻き付け締着してなる簡易着付けの着物としている。また、上記着物は、着物本体の衿を下方向に幅広くして取り付けるとともに、該衿の上縁部に半衿をも着脱可能に取り付けることにより、一人で簡単に着られるだけでなく、衿の形が広衿の着物を着たときと同じ形にできるほか、衿に半衿をつけて長襦袢感覚を出すことにより普通の着物を着たときと同じ着姿とすることができるとしている。
【考案の概要】
【考案が解決しようとする課題】
【００１１】
しかし、特許文献２の「簡易式対丈着物」による場合には、衿幅が広いため着用時に首周りにアクセサリーをつけても衿に隠れてみえなくなってしまうばかりでなく、人によっては首自体が衿に隠れてあたかも首がないようにみえてしまうといったような不都合があった。また、上記着物は、腰紐を身体に巻き付けて固定するものであることから、着用時の締め付けによる圧迫感からは依然として解放されないという不具合もあった。
【００１２】
本考案者らは、日本の民族衣装ともいうべき着物を大多数の日本人が一人で着用できないという現状を打破して伝統を復活せんとする信念のもとで、着物の着用にかかわる上記問題を解決して着付けを簡単にして誰もが気軽に着用できるようにした上で、さらに広幅な衿をなくすなどしてデザインを現代風にアレンジすることで、洋服のＶネックのような感覚のもとで衿元のおしゃれを楽しむことなどもできる対丈着物の開発に向けて鋭意努力を重ねてきた。
【００１３】
すなわち、本考案は、従来からある着物にみられた上記課題に鑑み、誰もが簡単に着用できて着崩れもしないデザイン性に優れた対丈着物を提供することを目的とする。
【課題を解決するための手段】
【００１４】
本考案は、上記目的を達成すべくなされたものであり、着用者の別にバスト、アンダーバスト、ウエストおよびヒップを含む身体各部から採寸された各曲線情報に基づく曲線を付与して各別に裁断された上身頃体と下身頃体とを、御端折りを介在させることなくウエストラインの位置にて立体的に縫い合わせて一体化される対丈着物は、右側縫い線からやや内側に入った下側前表面の前記ウエストラインの上側にその一端部が固着された第１結び紐と、左側縫い線からやや内側に入った上側前裏面の前記ウエストラインの下側にその一端部が固着された第２結び紐と、右側開放端からやや内側に入った下側前裏面の前記ウエストラインの下側にその一端部が固着された第３結び紐と、左側縫い線の延長線からやや内側に入った前記ウエストライン上側にその一端部が固着された第４結び紐と、右側開放端からやや内側に入り、かつ、前記下身頃体の縦長さ方向での中間位置から１２ｃｍ前後上方に位置する部位にその一端部が固着された第５結び紐と、左側縫い線の外側に沿わせ、かつ、前記下身頃体の縦長さ方向での中間位置から１７ｃｍ前後上方に位置する部位にその一端部が固着された第６結び紐とを備え、その着用時には、前記第３結び紐と前記第４結び紐とを結んで下前を若干せり上がらせ、前記第５結び紐と前記第６結び紐とを結んで下前左裾をさらに若干せり上がらせるとともに、前記第１結び紐と前記第２結び紐とを結んで上前右裾を若干せり上がらせるようにして裾周りの仕舞いを美しくしたことを最も主要な特徴とする。
【００１５】
この場合、前記上身頃体の前記曲線は、首周りのラインとウエスト位置から袖脇に至るラインとに付与し、前記下身頃体の曲線は、ウエスト位置から裾に向けて徐々にすぼまらせるようにして付与するのが好ましい。また、前記上身頃体と前記下身頃体とは、襦袢生地を用いて総裏とすることもできる。また、前記上身頃体は、袖無しとしたり、小袖を備えたり、長袖を備えるものであってもよい。しかも、前記上身頃体が前記小袖を備えるものである場合は、別途用意される中袖、中振袖、振袖との間でこれら中袖、中振袖、振袖を選択的に着脱するための着脱部を形成してもよい。さらに、前記上身頃体と前記下身頃体とは、裏地のない単衣として形成するとともに、前記上身頃体には、小袖と幅狭な衿とを具備させてもよい。
【考案の効果】
【００１６】
本考案のうち、請求項１に記載の考案によれば、お端折りをなくした対丈着物として提供することができるので、着用者は、着用時における着崩れのほか、窮屈で苦しさを伴う紐の巻き付けというお端折りに由来する不具合を解消させることができる。
【００１７】
また、着用者は、第１結び紐〜第６結び紐につき、それぞれの対応位置にあるものを相互に結んで着用した際に裾先を若干せり上がらせることで、裾周りの仕舞いを美しくすることができる。
【００１８】
しかも、第５結び紐と第６結び紐とは、これらを相互に結んだ際に着用者の膝上部分に位置する結果、比較的大きな歩幅での歩行を可能とすることで、現代の生活習慣に合わせた歩幅でゆったり、かつ、颯爽と歩くこともできる。
【００１９】
請求項２に記載の考案によれば、下身頃体の曲線は、ウエスト位置から裾に向けて徐々にすぼまらせるようにして付与されているので、裾周りの仕舞いを美しくして洋風なファッションを楽しむことができる。
【００２０】
請求項３に記載の考案によれば、着物の裏地に襦袢の生地を総裏として用いることで、着物と襦袢とを一体化させることができるので、着物とは別に襦袢を着用する必要をなくして着付けをそれだけ簡素化することができる。
【００２１】
請求項４に記載の考案によれば、上身頃体が袖無しで形成されているので、あたかも洋服のＶネックにも似た感覚のもとで各種装飾品で首周りを飾ることで、衿元のおしゃれを楽しむことができる。また、細い帯を用いて着用することにより、足元もハイヒールやミュールやブーツと組み合わせることで、洋風なドレス感覚のもとで海外のパーティーなどでも違和感のない美しさを発揮させることができる。
【００２２】
請求項５に記載の考案によれば、上身頃体が小袖付きで形成されているので、食事をしたり、子供を抱いたり世話をする際であっても袖を気にすることなく楽に着用することができる。
【００２３】
請求項６に記載の考案によれば、小袖に対し別途用意される中袖、中振袖、振袖のいずれかを選択的に取り付けたり取り外したりすることができるので、一人で簡単に着崩れしない振袖着物として着用することができるほか、着る目的や場所に応じて最適な袖長さとなるように調節することで、長期にわたって着用することができる。
【００２４】
請求項７に記載の考案によれば、上身頃体が長袖付きで形成されているので、見た目には従来の着物と同様な感覚を発揮させることで、結婚式や入学・卒業式などのような比較的正式な催しに出席する際であっても上品さを伴って着用することができる。
【００２５】
請求項８に記載の考案によれば、裏地のない単衣として形成される上身頃体と下身頃体とのうち、上身頃体は、小袖と幅狭な衿とを備えているので、着用時に袖がじゃまにならず動きやすく、しかも、衿はついているものの狭幅なので首周りをすっきりとさせ、かつ、従来の広幅な衿のようなごわごわ感もなくしてバランスよく、かつ、家庭でも日常着として気軽に着用することができる。
【図面の簡単な説明】
【００２６】
【図１】本考案の一例を示す正面図
【図２】本考案の一例における上身頃体を示す説明図であり、そのうちの（ａ）は上側後身頃部を、（ｂ）は上側前身頃部をそれぞれ示す。
【図３】本考案の一例における下身頃体を示す説明図であり、そのうちの（ａ）は下側後身頃部を、（ｂ）は下側前身頃部をそれぞれ示す。
【図４】本考案の他例における上身頃体を示す説明図であり、そのうちの（ａ）は上側後身頃部を、（ｂ）は上側前身頃部を、（ｃ）は小袖の袖口の下端縁に付与される丸みをそれぞれ示す。
【図５】本考案における上身頃体の変形例を示す説明図であり、そのうちの（ａ）は上側後身頃部を、（ｂ）は上側前身頃部を、（ｃ）は小袖の袖口の下端縁に付与される丸みをそれぞれ示す。
【図６】本考案における第１結び紐〜第６結び紐の配置関係を（ａ）〜（ｃ）として示す説明図。
【図７】本考案の着用プロセスを（ａ）〜（ｃ）として例示する説明図。
【図８】本考案の着用状態時におけるイメージ例を場合分けして（ａ）〜（ｄ）として示す説明図。
【図９】図８（ｂ）に示す例に適用される変形例を示す説明図。
【考案を実施するための形態】
【００２７】
本考案に係る対丈着物１１の全体は、着用者の別にバスト、アンダーバスト、ウエストおよびヒップを含む身体各部から採寸された各曲線情報に基づく曲線を付与して各別に裁断された上身頃体１２と下身頃体３２とを、御端折りを介在させることなく図１に示されているようにウエストラインＷの位置にて立体的に縫い合わせることで一体化されている。なお、上身頃体１２と下身頃体３２との裏側は、襦袢生地を用いた総裏として形成することもできる。
【００２８】
この場合、上身頃体１２と下身頃体３２とは、例えば上質のポリエステル素材などのように、しわになりにくく、虫に食われることもなく、かつ、汚れがつきにくく、家庭でも洗濯でき、保存も容易な素材を用いて形成するのが好ましい。
【００２９】
また、本考案における上身頃体１２には、図２および図８（ａ）に示す第１例であるノースリーブタイプ（図１では上身頃体１２の実線部分）と、図４および図８（ｂ）に示す第２例である小袖付きタイプと、図５および図８（ｃ）に示す第３例である長袖付きタイプ（図１では上身頃体１２の一点鎖線部分）と、図４および図８（ｄ）に示す第２例の変形例である裏地のない単衣として形成された狭幅衿・小袖付きタイプとがある。なお、図３に示す下身頃体２２は、上記いずれのタイプの上身頃体１２にも共用して組み合わせることで、本発明に係る対丈着物１１が形成されることになる。
【００３０】
ここで、第１例であるノースリーブタイプの上身頃体１２について詳しく説明すれば、図２（ａ）に示す上側後身頃部１３は、着用者の首の後ろ周りが位置する部位に形成された湾曲部１４と、ウエスト位置から袖脇へと至る部位に形成された袖脇曲線部１５とを備えている。
【００３１】
また、図２（ｂ）に示す上側前身頃部１６は、ウエスト位置に形成されたウエスト側曲線部１７と、ウエスト位置から袖脇へと至る部位に形成された袖脇側曲線部１８と、衿周りに形成された衿周り曲線部１９とを備えている。
【００３２】
図３は、図１に示す下身頃体３２を上身頃体１２と分離した状態で示す説明図であり、そのうちの（ａ）は下側後身頃部３３を、（ｂ）は下側前身頃部３６をそれぞれ示す。同図（ａ）によれば、適宜の面サイズ、例えば縦幅が９８ｃｍ程度で横幅が２７ｃｍ程度の面サイズの下側後身頃部３３は、図３（ａ）では左側に位置している一側縁３４が直線ラインとなり、右側に位置している他側縁３５がウエスト部位が１ｃｍ程度内側に入り込み、膝下部位が裾３３ａ位置で１ｃｍ程度内側に入り込む非直線ラインとなって形成されている。
【００３３】
また、下側前身頃３６は、図３（ｂ）では衽（おくみ）３９の左方に位置している一側縁３７がウエスト部位が１ｃｍ程度内側に入り込み、膝下部位が裾３６ａ位置で１ｃｍ程度内側に入り込む非直線ラインとなり、右側に位置している他側縁３８が直線ラインとなって形成されているため、両者を組み合わせた下身頃体３２は、ウエスト位置がややくびれ、裾３３ａ，３６ａ側が徐々にすぼまった状態となって形成されることになる。
【００３４】
一方、第２例である小袖付きタイプの上身頃体１２について詳しく説明すれば、図４（ａ）に示す上側後身頃部１３は、小袖２３を除けば図２に示す上身頃体１２と同様に着用者の首の後ろ周りが位置する部位に形成された湾曲部１４と、ウエスト位置から袖脇へと至る部位に形成された袖脇曲線部１５とを備えている。
【００３５】
また、図４（ｂ）に示す上側前身頃部１６は、小袖２３を除けば図２に示す上身頃体１２と同様にウエスト位置に形成されたウエスト側曲線部１７と、ウエスト位置から袖脇へと至る部位に形成された袖脇側曲線部１８と、衿周りに形成された衿周り曲線部１９とを備えている。
【００３６】
しかも、小袖２３は、図４（ａ），（ｂ）にその一部が直線の一点鎖線として示されているように腕が動かしやすい昔ながらの機能的な筒袖として形成したり、実線で示されているように筒袖よりも袖幅をやや広くし、かつ、袖口を下方から少し縫い込んで袖口を狭くすることで従来からある袖のイメージに近づけて形成することができる。この場合、従来からある袖のイメージに近づけて形成されているタイプの小袖２３については、図４（ａ），（ｂ）において円形破線で囲繞した部位に位置する袖口２４の下端縁２４ａの丸みを例えば図４（ｃ）に示すようにして形成することで、その着用時に気軽さ、柔らかさおよび普段着的な雰囲気を醸し出すことができるようにしておくのが好ましい。
【００３７】
図９は、図４に示されている小袖２３の変形例を示す説明図であり、該小袖２３は、別途用意される振袖５２、中袖５３、中振袖５４との間でこれら振袖５２、中袖５３、中振袖５４を選択的に着脱するための着脱部５１が形成されている。  
【００３８】
すなわち、この例における着脱部５１は、小袖２３の下縁部２３ａに設けられた一側着脱部５１ａと、振袖５２、中袖５３、中振袖５４におけるそれぞれの上縁部５２ａ，５３ａ，５４ａ側に設けられた他側着脱部５１ｂと構成されている。この場合、一側着脱部５１ａが小袖２３の下縁部２３ａの内側の複数箇所に取り付けられたボタンであれば、他側着脱部５１ｂは、振袖５２、中袖５３、中振袖５４におけるそれぞれの上縁部５２ａ，５３ａ，５４ａにおける前記ボタンと対応する複数箇所に形成されたボタン穴として形成することができる。また、着脱部５１が面ファスナーである場合には、一側着脱部５１ａを小袖２３の下縁部２３ａの内側の複数箇所に取り付けられたフックテープまたはループテープで形成し、他側着脱部５１ｂを振袖５２、中袖５３、中振袖５４におけるそれぞれの上縁部５２ａ，５３ａ，５４ａの外側の対応位置に取り付けられたループテープまたはフックテープにより形成されることになる。また、着脱部５１は、プルタブにより着脱操作されるスライドファスナーを一側着脱部５１ａと他側着脱部５１ｂとすることで形成することもできる。なお、小袖２３は、その内側下縁部を非縫合部２３ｂとして形成し、振袖５２の内側縁部に設けた非縫合部５２ｂや、中袖５３の内側縁部に設けた非縫合部５３ａｂ、中振袖５４の内側縁部に設けた非縫合部５４ｂと、その取着時に連続するようにして形成するのが望ましい。
【００３９】
次に、第３例である長袖付きタイプの上身頃体１２について詳しく説明すれば、図５（ａ）に示す上側後身頃部１３は、長袖２５を除けば図２に示す上身頃体１２と同様に着用者の首の後ろ周りが位置する部位に形成された湾曲部１４と、ウエスト位置から袖脇へと至る部位に形成された袖脇曲線部１５とを備えている。
【００４０】
また、図５（ｂ）に示す上側前身頃部１６は、長袖２５を除けば図２に示す上身頃体１２と同様にウエスト位置に形成されたウエスト側曲線部１７と、ウエスト位置から袖脇へと至る部位に形成された袖脇側曲線部１８と、衿周りに形成された衿周り曲線部１９とを備えている。
【００４１】
この場合、長袖２５は、従来からある着物が備える袖の形状に近いものとして形成されている。この例における長袖２５は、円形破線で囲繞した部位に位置する袖口２６側の下端縁２６ａの丸みを着用者の年令に応じて例えば図５（ｃ）に示す３パターンのもとで適宜変えることができるようになっている。
【００４２】
さらに、第２例である小袖付きタイプの変形例である裏地のない単衣として形成された狭幅衿・小袖付きタイプの上身頃体１２は、図４（ａ），（ｂ）に実線として示されている小袖２３を備えて図８（ｄ）に示すように形成されており、この変形例における第２例との違いは、その全体が裏地のない単衣として形成されているほか、狭幅な衿２７を備えている点である。
【００４３】
すなわち、この変形例として図８（ｄ）に示す衿２７は、従来の着物の衿の幅が５．５ｃｍ程度の広幅であったものとは異なり、４ｃｍ程度の狭幅に形成されたものが縫着されており、これにより首周りをすっきりとさせ、かつ、ごわつき感もなくせるようになっている。
【００４４】
上記した構成の上身頃体１２と下身頃体３２とをウエストラインＷの位置にて立体的に縫い合わせることで一体化されてなる対丈着物１１は、図１および図６（ａ）〜（ｃ）に示されているように、さらに第１結び紐４２〜第６結び紐４７を備えて形成されている。
【００４５】
これらのうち、第１結び紐４２は、図６（ａ）に示されているように右側縫い線Ｌ１から長さａ分（例えば５ｃｍ）だけ内側に入った位置にある下側前表面５２のウエストラインＷの上側にその一端部４２ａを逢着するなどして固着されている。
【００４６】
第２結び紐４３は、図６（ｃ）に示されているように衽３９の身幅分だけ内側に入った位置にある上側前裏面５４のウエストラインＷの下側にその一端部４３ａを逢着するなどして固着されている。
【００４７】
第３結び紐４４は、図６（ｂ）に示されているように右側開放端４０から長さａ分（例えば５ｃｍ）だけ内側に入った下側前裏面５３のウエストラインＷの下側にその一端部４４ａを逢着するなどして固着されている。
【００４８】
第４結び紐４５は、図６（ｃ）に示されているように左側縫い線Ｌ２から長さｂ分（例えば３ｃｍ）だけ内側に入ったウエストラインＷの上側にその一端部４５ａを逢着するなどして固着されている。
【００４９】
第５結び紐４６は、図６（ｂ）に示されているように右側開放端４０から長さａ分（例えば５ｃｍ）だけ内側に入り、かつ、下身頃体３２の縦長さＡ方向での中間位置Ａ／２から長さｃ分（例えば１２ｃｍ）上方に位置する部位にその一端部４６ａを逢着するなどして固着されている。
【００５０】
第６結び紐４７は、図６（ｃ）に示されているように左側縫い線Ｌ２の外側に沿わせ、かつ、下身頃体３２の縦長さＡ方向での中間位置Ａ／２から長さｄ分（例えば１７ｃｍ）上方に位置する部位にその一端部４７ａを逢着するなどして固着されている。
【００５１】
このため、本考案によれば、図１に示すようなお端折りをなくした対丈着物１１として提供することができるので、着用者は、着用時における着崩れのほか、窮屈で苦しさを伴う紐の巻き付けというお端折りに由来する不具合を解消させることができる。
【００５２】
しかも、上身頃体１２と下身頃体３２との裏側が襦袢生地を用いた総裏として形成されている場合には、着物と襦袢とが一体化されることになるので、着物とは別に襦袢を着用する必要をなくして着付けをそれだけ簡素化することができることになる。
【００５３】
また、着用に際しては、第３結び紐４４と第４結び紐４５とを結んで図７（ａ）に示すように下前を若干せり上がらせ、第５結び紐４６と第６結び紐４７とを結んで下前左裾をさらに若干せり上がらせるとともに、図７（ｂ）に示すように第１結び紐４２と第２結び紐４３とを結んで上前右裾を若干せり上がらせるようにすることで、図７（ｃ）に示すように帯を締めることにより下裾周りの仕舞いを美しくして着用することができる。
【００５４】
しかも、第５結び紐４６と第６結び紐４７とは、これらを相互に結んだ際に着用者の膝上部分に位置する結果、比較的大きな歩幅での歩行を可能とすることで、現代の生活習慣に合わせた歩幅でゆったり、かつ、颯爽と歩くこともできる。
【００５５】
また、上身頃体１２の曲線が首周りのラインとウエスト位置から袖脇に至るラインとに付与され、下身頃体３２の曲線がウエスト位置から裾に向けて徐々にすぼまらせるようにして付与されている場合には、裾周りの仕舞いをさらに美しくして洋風なファッションを楽しむことができる。
【００５６】
さらに、上身頃体１２が袖無しで形成されている場合には、図８（ａ）に示す状態のもとで細い帯を用いるほか、足元もハイヒールやミュールやブーツと組み合わせることで、洋風なドレス感覚を発揮させながら海外のパーティーなどでも違和感なく着用することができる。
【００５７】
さらにまた、上身頃体が小袖２３付きで形成されている場合には、図８（ｂ）に示す状態のもとで細い帯を巻くことにより、食事をしたり、子供を抱いたり世話をする際であっても袖を気にすることなく楽に着用することができる。
【００５８】
しかも、図８（ｂ）に示す小袖２３に対し、図９に示すように別途用意される振袖５２、中袖５３、中振袖５４のいずれかを選択的に取り付けたり取り外したりすることができる場合には、一人で簡単に着崩れしない振袖着物として着用することができるほか、着る目的や場所に応じて最適な袖長さとなるように調節することで、長期にわたって着用することができる。
【００５９】
また、上身頃体１２が長袖２５付きで形成されている場合には、図８（ｃ）に示す状態のもとで見た目には従来の着物と同様な感覚を発揮させることで、結婚式や入学・卒業式などのような比較的正式な催しであっても上品さを伴って着用することができる。
【００６０】
しかも、裏地のない単衣として形成される上身頃体１２と下身頃体３２とのうち、上身頃体１２は、小袖２３と幅狭な衿２７とを備えている場合には、図８（ｄ）に示す状態のもとで着用時に袖がじゃまにならず動きやすく、しかも、衿２７はついていても狭幅なので首周りをすっきりとさせ、かつ、従来の広幅な衿のようなごわごわ感もなくしてバランスよく、かつ、家庭でも日常着として気軽に着用することができる。
【符号の説明】
【００６１】
１１  対丈着物
１２  上身頃体
１３  上側後身頃部
１４  湾曲部
１５  袖脇曲線部
１６  上側前身頃部
１７  ウエスト側曲線部
１８  袖脇側曲線部
１９  衿周り曲線部
２３  小袖
２３ａ下縁部
２３ｂ非縫合部
２４  袖口
２４ａ  下端縁
２５  長袖
２６  袖口
２６ａ  下端縁
２７  衿
３２  下身頃体
３３  下側後身頃部
３３ａ  裾
３４  一側縁
３５  他側縁
３６  下側前身頃部
３６ａ  裾
３７  一側縁
３８  他側縁
３９  衽
４２  第１結び紐
４２ａ  一端部
４３  第２結び紐
４３ａ  一端部
４４  第３結び紐
４４ａ  一端部
４５  第４結び紐
４５ａ  一端部
４６  第５結び紐
４６ａ  一端部
４７  第６結び紐
４７ａ  一端部
５１  着脱部
５１ａ  一側着脱部
５１ｂ  他側着脱部
５２  振袖
５２ａ  上縁部
５２ｂ  非縫合部
５３  中袖
５３ａ  上縁部
５３ｂ  非縫合部
５４  中振袖
５４ａ  上縁部
５４ｂ  非縫合部
【図１】
0003175647.tif 000003
【図２】
0003175647.tif 000004
【図３】
0003175647.tif 000005
【図４】
0003175647.tif 000006
【図５】
0003175647.tif 000007
【図６】
0003175647.tif 000008
【図７】
0003175647.tif 000009
【図８】
0003175647.tif 000010
【図９】
0003175647.tif 000011